(57)【特許請求の範囲】
【請求項１】
球受床板を、下記（１）の基本レール固定用床板と、下記（２）のトングレール・スライド用球受床板に分割構成し、基本レールを前記（１）の基本レール固定用床板に固定し、該基本レール固定用床板を枕木に固定配置して所要に前記基本レールを設定した後、同一枕木上であって、且つ前記基本レール固定用床板の横に前記（２）のトングレール・スライド用球受床板を調整移動して、トングレールの設定位置にしたがって、該（２）のトングレール・スライド用球受床板に装備された第１球受とトングレールとのクリアランスを所要に取り、その位置で該（２）のトングレール・スライド用球受床板を枕木に固定する転轍機における球受床板の固定方法。
（１）一端寄りに内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設けてなる基本レール固定用支承部を構成した基本レール固定用床板と基本レール固定用支承部に隣合わせてトングレール支承面とするトングレール支承部を設け、左右両端に枕木への取付孔を設けてなる基本レール固定用床板。
（２）上面の所要位置に第１球受を配置し、その第１球受からトングレールのスライド幅にしたがって第２、第３等の球受を、所要の間隔で所要個数配置し、左右両端に枕木への取付孔を設けてなるトングレール・スライド用球受床板。
【請求項２】
球受床板を、下記（１）の基本レール固定用床板と、下記（２）のトングレール・スライド用球受床板に分割構成し、基本レールを前記（１）の基本レール固定用床板に固定し、該基本レール固定用床板を枕木に固定配置して所要に前記基本レールを設定した後、同一枕木上であって、且つ前記（１）の基本レール固定用床板の横に前記（２）のトングレール・スライド用球受床板を調整移動して、トングレールの設定位置にしたがって、該（２）のトングレール・スライド用球受床板に装備された第１球受とトングレールとのクリアランスを所要に取り、その位置で該（２）のトングレール・スライド用球受床板を枕木に固定する転轍機における球受床板の固定装置。
（１）一端寄りに内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設けてなる基本レール固定用支承部を構成した基本レール固定用床板と基本レール固定用支承部に隣合わせてトングレール支承面とするトングレール支承部を設け、左右両端に枕木への取付孔を設けてなる基本レール固定用床板。
（２）上面の所要位置に第１球受を配置し、その第１球受からトングレールのスライド幅にしたがって第２、第３等の球受を、所要の間隔で所要個数配置し、左右両端に枕木への取付孔を設けてなるトングレール・スライド用球受床板。
【発明の詳細な説明】
【０００１】
【発明の属する技術分野】
この発明は、転轍機における球受床板の固定方法および固定装置に関するものである。
【０００２】
【従来の技術】
従来、転轍機において、枕木に床板を配し、その床板に基本レールの底部の一方の側縁を係合し、他方の側縁を、ボルト・ナットおよび係合座金で係合圧接して枕木に固着している。次にトングレールは、前記基本レールに沿って所要長さ、その底面を床板に接触支承し、滑動油をたっぷりと介在して滑動自在に設置している。
【０００３】
【発明が解決ようとする課題】
前記従来の技術の説明の項で説明したように、トングレールが、その底面を床板に接触し、滑動油を仲介し滑動自在に設置しているから、トングレールと基本レールは、平面な床板の上面のどの位置でも相対的に固定位置を決定する事ができるものである。しかし、この発明で提案する球受床板を使用する場合に、球受を予め床板に設定しているから、基本レールの固定位置に対してこれを調整することができなく、したがって、所要のクリアランスを採ることができない。
この発明は、かかる欠点を解消することを目的になされたものである。
【０００４】
【課題を解決するための手段】
球受床板を、下記（１）の基本レール固定用床板と、下記（２）のトングレール・スライド用球受床板に分割構成し、基本レールを前記（１）の基本レール固定用床板に固定し、該基本レール固定用床板を枕木に固定配置して所要に前記基本レールを設定した後、同一枕木上であって、且つ前記基本レール固定用床板の横に前記（２）のトングレール・スライド用球受床板を調整移動して、トングレールの設定位置にしたがって、該（２）のトングレール・スライド用球受床板に装備された第１球受とトングレールとのクリアランスを所要に取り、その位置で該（２）のトングレール・スライド用球受床板を枕木に固定する転轍機における球受床板の固定方法にある。
（１）一端寄りに内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設けてなる基本レール固定用支承部を構成した基本レール固定用床板と基本レール固定用支承部に隣合わせてトングレール支承面とするトングレール支承部を設け、左右両端に枕木への取付孔を設けてなる基本レール固定用床板。
（２）上面の所要位置に第１球受を配置し、その第１球受からトングレールのスライド幅にしたがって第２、第３等の球受を、所要の間隔で所要個数配置し、左右両端に枕木への取付孔を設けてなるトングレール・スライド用球受床板。
【０００５】
球受床板を、下記（１）の基本レール固定用床板と、下記（２）のトングレール・スライド用球受床板に分割構成し、基本レールを前記（１）の基本レール固定用床板に固定し、該基本レール固定用床板を枕木に固定配置して所要に前記基本レールを設定した後、同一枕木上であって、且つ前記（１）の基本レール固定用床板の横に前記（２）のトングレール・スライド用球受床板を調整移動して、トングレールの設定位置にしたがって、該（２）のトングレール・スライド用球受床板に装備された第１球受とトングレールとのクリアランスを所要に取り、その位置で該（２）のトングレール・スライド用球受床板を枕木に固定する転轍機における球受床板の固定装置にある。
（１）一端寄りに内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設けてなる基本レール固定用支承部を構成した基本レール固定用床板と基本レール固定用支承部に隣合わせてトングレール支承面とするトングレール支承部を設け、左右両端に枕木への取付孔を設けてなる基本レール固定用床板。
（２）上面の所要位置に第１球受を配置し、その第１球受からトングレールのスライド幅にしたがって第２、第３等の球受を、所要の間隔で所要個数配置し、左右両端に枕木への取付孔を設けてなるトングレール・スライド用球受床板。
【０００６】
【発明の実施の形態】
以下、この発明の転轍機における球受床板の固定方法および固定装置を、実施の形態を示す図面により説明すると、図１に示すように、基本レール１を固定するための基本レール固定用床板２と、トングレール３をスライド自在に支承するトングレール・スライド用球受床板４に分割して設けている。
【０００７】
前記基本レール固定用床板２は、図２および図３に示すように、一端寄りに内縁に基本レール１の係合縁５、外縁に斜辺係合溝６、その係合縁５と斜辺係合溝６との間を基本レール固定用支承部８に設けると共に、斜辺係合溝６寄に上下に貫通する締付けボルト支持孔７を設けて基本レール固定用支承部８を構成し、且つ基本レール固定用支承部８に連続する中央部をトングレール支承面とするトングレール支承部９を設け、左右両端に枕木１０への取付孔１１、１１を設け、犬釘１２、１２により枕木１０へ取付け自在に設けている。
【０００８】
この基本レール固定用床板２において、基本レール１を固定する構造は、上記実施例に限定されるものではなく、上記実施例を基本構造に細部の点でことなる種々の固定構造が提案できるものである。
【０００９】
前記実施例のトングレール・スライド用球受床板４は、上面の所要位置に第１球受１３を配置し、その第１球受１３からトングレール３のスライド幅にしたがって第２、第３の球受１４を所要の間隔で所要個数を配置し、左右両端に枕木１０への取付孔１５、１５を設け、ボルト１６、１６により枕木１０へは、取付位置を調整自在に設けている。
【００１０】
前記図示実施例のトングレール・スライド用球受床板４は、トングレール３のトングレール支承部１７を備えているが、図示しないが凹陥させて基本レール固定用床板２のトングレール支承部９により支承しても、よいものである。また基本レール固定用床板２のトングレール支承部９を無くし、トングレール・スライド用球受床板４のトングレール支承部１７により直接に支承してもよいものである。
【００１１】
基本レール固定用床板２、トングレール・スライド用球受床板４とも犬釘１２を使用しているが、図示しないが、ボルト・ナットにしても、さらにその他の適宜締付け手段にしても勿論よいものである。
【００１２】
次に、基本レール１およびトングレール３を枕木１０に固定配置する方法について説明すると、先ず、基本レール固定用床板２に基本レール１を係合縁５、斜辺係合溝６、締付けボルト支持孔７、レール押え座金１９および締付けボルト２０により固定し、枕木１０に固定配置し、所要に基本レール１を設定した後、同一枕木１０上であって、且つその基本レール固定用床板２の横にトングレール・スライド用球受床板４を併置し、このトングレール・スライド用球受床板４を調整移動して、トングレール４の設定位置にしたがって、対応する第１球受１３とのクリアランス１８を図５に示すように所要に取り、その位置でこのトングレール・スライド用球受床板４を枕木１０に固定するのである。
【００１３】
【実施例】
トングレール３と、対応するトングレール・スライド用球受床板４上の第１球受１３とのクリアランス１８は、実施例を説明する基本レールの間の幅が１メートル以下の狭軌鉄道のもので、２．５ミリメートルが選定される。
【００１４】
図６は、トングレール用球受床板４の他の実施例を示すものである。
【００１５】
【発明の効果】
球受を使用する場合は、トングレールと点接触になるので、トングレールを基本レールに連接する位置では、通過する列車の重量に耐えることができなく、床板上に直接支承する。そこで、トングレールを退避側へ移動するとき、球受に乗せる必要がある。
【００１６】
この発明の転轍機における球受床板の固定方法および固定装置は以上のようになるから、トングレール底面における基本レールとの反対側縁と、これに向い合う球受（複数が縦列するときには第１に向い合う第１球受）のクリアランスが一定に調整確保することができる。
【００１７】
よって、トングレールを退避側へ移動するとき、どの球受にも同時に乗り上り、球受の作用で抵抗なく転轍作動をすることができるのである。
【図面の簡単な説明】
【図１】この発明の転轍機における球受床板の固定方法および固定装置の実施の一例を示す平面図である。
【図２】同じく、図１におけるＡ−Ａ線よりみた基本レールを固定する基本レール固定床板装置の側面図である。
【図３】同じく、基本レール固定用床板単体の平面図である。
【図４】同じく、図１におけるＢ−Ｂ線よりみたトングレール・スライド用球受床板単体の側面図である。
【図５】同じく、トングレール・スライド用球受床板単体の平面図である。
【図６】同じく、トングレール・スライド用球受床板単体の他の実施例を示す側面図である。
【図７】この発明の転轍機における球受床板の固定方法および固定装置の全体的配置状況の一例を示す平面図である。
【符号の説明】
１  基本レール
２  基本レール固定用床板
３  トングレール
４  トングレール・スライド用球受床板
５  係合縁
６  斜辺係合溝
７  締付けボルト支持孔
８  基本レール固定用支承部
９  トングレール支承部
１０  枕木
１１  取付孔、
１２  犬釘
１３  第１球受
１４  第２、第３の球受
１５  取付孔
１６  ボルト
１７  トングレール支承部
１８  クリアランス
１９  レール押え座金
２０  締付けボルト
【図１】
0003867159.tif 000002
【図６】
0003867159.tif 000003
【図２】
0003867159.tif 000004
【図３】
0003867159.tif 000005
【図４】
0003867159.tif 000006
【図５】
0003867159.tif 000007
【図７】
0003867159.tif 000008